(57)【要約】【課題】複数の給餌パンへの飼料の供給を簡単な操作で停止させたり、開始させたりすることが可能な自動給餌装置を提供する。【解決手段】自動給餌装置１は、途中部位に間隔をおいて複数の飼料落下穴２を設けた複数のパイプ材３を連結具４，４ａにより連結してなり、搬送オーガ５により飼料を搬送するフィードパイプ６と、前記各飼料落下穴２から落下する飼料を受けるようになした複数の給餌パン７とを備える。前記連結具４，４ａは、その両端部にスリット１２を設け、両端部にパイプ材３，３ａ端部が挿入可能な本体筒１３と、それぞれスリット１４を有し、パイプ材３，３ａと本体筒１３両端部との間に挿入可能な一対の補強筒１５と、本体筒１３両端部の前記各スリット１２部分外周を緊締して、パイプ材３，３ａに本体筒１３を固定する一方、緊締状態を解除するとパイプ材３ａの本体筒１３に対する回動を許容する一対の固定部材１６とから構成する。【選択図】図２
0003101746.tif 000002
【実用新案登録請求の範囲】
【請求項１】
途中部位に間隔をおいて複数の飼料落下穴を設けた複数のパイプ材を連結具により連結してなり、その内部に配置した搬送オーガにより飼料を搬送するフィードパイプと、前記各飼料落下穴から落下する飼料をそれぞれ受け、給餌に供するように配置する複数の給餌パンとを備える自動給餌装置であって、連結具は、その両端部に長手方向に延びるスリットを設け、パイプ材端部が挿入可能な本体筒と、この本体筒両端部の前記スリット部分外周を緊締して、パイプ材に本体筒を固定する一方、緊締状態を解除すると前記パイプ材の前記本体筒に対する回動を許容する一対の固定部材とから構成したことを特徴とする自動給餌装置。
【請求項２】
途中部位に間隔をおいて複数の飼料落下穴を設けた複数のパイプ材を連結具により連結してなり、その内部に配置した搬送オーガにより飼料を搬送するフィードパイプと、前記各飼料落下穴から落下する飼料をそれぞれ受け、給餌に供するように配置する複数の給餌パンとを備える自動給餌装置であって、連結具は、その両端部に長手方向に延びるスリットを設け、前記両端部に前記パイプ材端部が挿入可能な本体筒と、それぞれ長手方向に延びるスリットを設け、前記パイプ材と前記本体筒両端部との間に挿入可能な一対の補強筒と、前記本体筒両端部の前記各スリット部分外周を緊締して、パイプ材に本体筒を固定する一方、緊締状態を解除すると前記パイプ材の前記本体筒に対する回動を許容する一対の固定部材とから構成したことを特徴とする自動給餌装置。
【考案の詳細な説明】
【技術分野】
【０００１】
本考案は、途中部位に間隔をおいて複数の飼料落下穴を設け、搬送オーガにより飼料を内部搬送するフィードパイプと、前記各飼料落下穴から落下する飼料をそれぞれ受け、給餌に供するように配置する複数の給餌パンとを備えた養鶏場などに設置する自動給餌装置に関し、特に、複数の給餌パンへの飼料の供給を同時に制御することが可能なものに関する。
【背景技術】
【０００２】
養鶏場などでは、鶏の出荷前に半日から一日程度給餌を停止し、鶏の体内に飼料が残留しないようにしたり、必要に応じて与える飼料の量を加減する必要がある。従来の自動給餌装置は、前述の飼料供給の停止や加減をするために、搬送パイプの飼料落下穴を開閉するシャッターをそれぞれに設けていた。そして、例えば複数の給餌パンが飼料供給停止と決められた場合は、該各給餌パンに対応する飼料落下穴のシャッターを作業員が手動で一つずつ各別に閉めていた。
【特許文献１】実開昭５４−０１１８８６号公報
【考案の開示】
【考案が解決しようとする課題】
【０００３】
上記従来の自動給餌装置には、例えば２００台以上という多数の給餌パンを備えるものがあり、この場合、例えば３０箇所の飼料落下穴のシャッターを、鶏が動き回る場所で一つずつ閉じる作業は容易ではないうえ、出荷前の鶏に対して給餌停止を行うときにシャッターの閉じ忘れが発生すると、鶏の処理時に体内に餌が残留し、出荷先の信用を失うという深刻な問題があった。
【課題を解決するための手段】
【０００４】
上記目的を達成するために、請求項１に記載の本考案は、途中部位に間隔をおいて複数の飼料落下穴を設けた複数のパイプ材を連結具により連結してなり、その内部に配置した搬送オーガにより飼料を搬送するフィードパイプと、前記各飼料落下穴から落下する飼料をそれぞれ受け、給餌に供するように配置する複数の給餌パンとを備える自動給餌装置であって、連結具は、その両端部に長手方向に延びるスリットを設け、パイプ材端部が挿入可能な本体筒と、この本体筒両端部の前記スリット部分外周を緊締して、パイプ材に本体筒を固定する一方、緊締状態を解除すると前記パイプ材の前記本体筒に対する回動を許容する一対の固定部材とから構成したことを特徴とするものである。
【０００５】
また、請求項２に記載の本考案は、途中部位に間隔をおいて複数の飼料落下穴を設けた複数のパイプ材を連結具により連結してなり、その内部に配置した搬送オーガにより飼料を搬送するフィードパイプと、前記各飼料落下穴から落下する飼料をそれぞれ受け、給餌に供するように配置する複数の給餌パンとを備える自動給餌装置であって、連結具は、その両端部に長手方向に延びるスリットを設け、前記両端部に前記パイプ材端部が挿入可能な本体筒と、それぞれ長手方向に延びるスリットを設け、前記パイプ材と前記本体筒両端部との間に挿入可能な一対の補強筒と、前記本体筒両端部の前記各スリット部分外周を緊締して、パイプ材に本体筒を固定する一方、緊締状態を解除すると前記パイプ材の前記本体筒に対する回動を許容する一対の固定部材とから構成したことを特徴とするものである。
【考案の効果】
【０００６】
以上のように、請求項１に記載の本考案によれば、パイプ材を連結する連結具のうち、飼料の供給停止あるいは供給開始の操作をすべき給餌パンに対応したパイプ材両端に位置する連結具の一方の固定部材をそれぞれ緩め、前記パイプ材をその中心軸を中心に回動して、飼料落下穴を下位置から上位置へ、あるいは逆に上位置から下位置に変位させることによって、複数の給餌パンへの飼料の供給をパイプ材単位でまとめて制御することができるとともに、このまとめて制御することによってシャッターの閉め忘れを防止することができる。
【０００７】
また、請求項２に記載の本考案によれば、上記効果に加えて、パイプ材と連結具の本体筒間に挿入する補強管を設けたので、連結具の強度が増すという効果を奏する。
【考案を実施するための最良の形態】
【０００８】
次に、本考案の好適な実施形態を添付図面の図１〜図６に基づいて詳細に説明する。ここにおいて、図１は自動給餌装置の概略的な全体図、図２はパイプ材どうしを連結した状態の連結具の縦断拡大正面図、図３は連結具の分解状態を示す斜視図、図４は給餌状態を示すパイプ材と給餌パンの縦断拡大側面図、図５は給餌停止状態を示すパイプ材と給餌パンの縦断拡大側面図、図６はパイプ材と給餌パンの斜視図である。
【０００９】
図１及び図２に示すように、自動給餌装置１は、途中部位に間隔をおいて複数の飼料落下穴２を設けた複数のパイプ材３を連結具４，４ａにより連結してなり、その内部に配置した搬送オーガ５により飼料を搬送するフィードパイプ６と、前記飼料落下穴２から落下する飼料を受け、給餌に供するように配置する給餌パン７とを備える。
【００１０】
図１及び図２に示すように、搬送オーガ５は、フィードパイプ６内に設けられ、該フィードパイプ６一端に配置した駆動機構８によって回転し、フィードパイプ６他端に配置された供給ホッパー９に投入された飼料を搬送するものである。
【００１１】
図２、図４〜図６に示すように、給餌パン７は、パイプ材３，３ａの飼料落下穴２に対応位置して設けられ、下端が開放された縦方向に延びる飼料導入筒１０と、この飼料導入筒１０の下側に位置し、落下してきた飼料を受ける皿部１１とを有する。この皿部１１の底部は、中央が高く外側が徐々に低く形成されている。そして、図５に示すように、パイプ材３，３ａ内を搬送オーガ５によって搬送されてきた飼料が、飼料落下穴２に達してここから落下し、前記飼料導入筒１０を通って皿部１１の低い外側部分にリング状に溜まる。そして、このように皿部１１に飼料が溜まると、この周りに鶏が集まって、飼料をついばむのである。また、前記各給餌パン７は、図示しない縣吊機構によってそれぞれ吊り下げられている。
【００１２】
図２に示すように、連結具４，４ａは、その両端部に長手方向に延びるスリット１２を設け、前記両端部に前記パイプ材３，３ａ端部が挿入可能な本体筒１３と、それぞれ長手方向に延びるスリット１４を設け、前記パイプ材３，３ａと前記本体筒１３両端部との間に挿入可能な一対の補強筒１５と、前記本体筒１３両端部の前記各スリット１２部分外周を緊締して、パイプ材３，３ａに本体筒１３を固定する一方、緊締状態を解除すると前記パイプ材３，３ａの前記本体筒１３に対する回動を許容する一対の固定部材１６とから構成する。この連結具４，４ａは、パイプ材３，３ａどうしの連結に際し先ず、一対の固定部材１６と一対の補強管１５をそれぞれ各パイプ材３，３ａに遊嵌しておき、各端部を本体筒１３に挿入し、パイプ材３，３ａどうしの各端部をつき合せた状態とする。次に、前記各補強筒１５を本体筒１３の両端とパイプ材３，３ａ間にそれぞれ挿し込んだ後に、前記各固定部材１６を本体筒１３の各スリット１２部分にそれぞれ移動し、緊締する。このように緊締することによって、本体筒１３の両端部と各補助筒１５が各スリット１２，１４の働きで窄まり、連結具４，４ａが各パイプ材３，３ａに固定され、パイプ材３，３ａどうしが連結する。このようにパイプ材３，３ａを順次連結してフィードパイプ６が構成される。
【００１３】
図３に示すように、固定部材１６は、一対の半円形体１７の各一端を支軸１８で回転可能に連繋するとともに、前記各半円形体１７の各他端に設けた軸受管を突合せここにボルト１９を挿し込み、該ボルト１９の先端にナット２０を螺合させて構成する。この固定部材１６は、内形が本体筒１３の外径より若干大きい円形状をなし、ボルト１９をナット２０に対して螺合が進む方向に回転することによってその内径を縮小し、同じく螺合を解く方向に回転することによって内径を拡大するものである。
【００１４】
続いて、図１に示すパイプ材３ａの飼料落下穴５をまとめて下位置から上位置に変位させ、複数の給餌パン７への飼料の供給を停止させる停止操作を説明する。先ず、前記パイプ材３ａとその両側のパイプ材３とを連結している二つの連結具４ａにおけるパイプ材３ａ側の各固定部材１６のうち一方をそれぞれ緩める。この緩めた状態で、パイプ材３ａは、各パイプ材３に固定された状態の各連結具４ａに対してその中心軸を中心に回動可能となり、このパイプ材３ａを１８０度回動して、下位置で飼料の落下が可能な飼料落下穴２（図４参照）を、飼料の落下が起こらない上位置に変位し（図５参照）、続いて前記各固定部材１６を元のように緊締し、再度各連結具４ａをパイプ材３ａに固定する。このように飼料落下穴２を下位置から上位置に変位すると、搬送オーガ５によってフィードパイプ６内を搬送される飼料は、給餌パン７に落下することなく通過し、各給餌パン７への給餌は停止する。
【００１５】
また、前述のパイプ材３ａに対応する給餌パン７への飼料の供給を開始する開始操作は、上記停止操作と同様に各連結具４ａを緩め、上記とは逆にパイプ材３ａを１８０度回動して、飼料落下穴２を上位置から下位置に変位させ、続いて前記各固定部材１６を緊締し、再度各連結具４ａをパイプ材３ａに固定する。
【００１６】
上記給餌停止操作あるいは給餌開始操作において、パイプ材３ａをその両端に隣接したパイプ材３に連結する二つの連結具４ａの固定状態を解く際に、パイプ材３ａ側の各固定部材１６を緩めても、あるいはパイプ材３側（パイプ材３ａとは反対側）の各固定部材１６を緩めてもよい。また、上記給餌停止操作あるいは給餌開始操作においては、一本のパイプ材３ａのみを回動変位させたが、二本以上のパイプ材３，３ａを一体的に回動変位させる場合もある。この場合は、例えば二本のパイプ材３，３ａを連結している連結具４ａを固定状態にしておき、各パイプ材３，３ａの外側の連結具４，４ａを前記と同様にして緩め、前記二本のパイプ材３，３ａを一体的に回動変位させる。
【００１７】
なお、本考案は上記実施形態になんら限定されるものではなく、例えば、連結具４，４ａの補強管１５は設けなくてもよい。また、連結具４，４ａの固定部材１６は、本体管１３の外周を緊締し得るものであれば、上記とは異なる構成を有するものであってもよい。
【図面の簡単な説明】
【００１８】
【図１】自動給餌装置の概略的な全体図
【図２】パイプ材どうしを連結した状態の連結具の縦断拡大正面図
【図３】連結具の分解状態を示す斜視図
【図４】給餌状態を示すパイプ材と給餌パンの縦断拡大側面図
【図５】給餌停止状態を示すパイプ材と給餌パンの縦断拡大側面図
【図６】パイプ材と給餌パンの斜視図
【符号の説明】
【００１９】
１    自動給餌装置
２    飼料落下穴
３，３ａ    パイプ材
４，４ａ    連結具
５    オーガ
６    フィードパイプ
７    給餌パン
８    駆動機構
９    供給ホッパー
１０    飼料導入筒
１１    皿部
１２    スリット
１３    本体筒
１４    スリット
１５    補強筒
１６    固定部材
１７    半円形体
１８    支軸
１９    ボルト
２０    ナット
【図１】
0003101746.tif 000003
【図２】
0003101746.tif 000004
【図３】
0003101746.tif 000005
【図４】
0003101746.tif 000006
【図５】
0003101746.tif 000007
【図６】
0003101746.tif 000008